(57)【特許請求の範囲】
【請求項１】
前後左右の側面板２２，２２，２４，２４と前後左右の側面内板２３，２３，２５，２５と底面板２６とから成る、直方トレー状の二重壁式の中央の箱体２０の左右に、大きな目視開口ａを設けた上面板３１と前後左右の側面板３２，３２，３４，３４と底面板３６とから成る、それぞれの前後寸法と左右寸法の和とが中央の箱体２０に等しい、直方体状の差込みサック式の左右の箱体３０，３０を、それぞれ連設した観音開き式の詰合せ箱であって、中央の箱体２０の左右の側面板２４，２４の各上辺に、左右の箱体３０，３０の右又は左の側面板３４，３４の各上辺を、それぞれ谷折り線ｂを介して連設して、また中央の箱体２０の左右の側面内板２５，２５の各上辺に、左右の箱体３０，３０の上面板３１，３１の右辺又は左辺を、それぞれ折り目線ｃを介して連設したことを特徴とする観音開き式の詰合せ箱。
【請求項２】
請求項１に記載の観音開き式の詰合せ箱において、左右の箱体３０，３０の底面板３６，３６の左辺又は右辺に、差込み繋止片ｄ又は差込み繋止孔ｅを、それぞれ設けたことを特徴とする観音開き式の詰合せ箱。
【請求項３】
請求項１又は請求項２に記載の観音開き式の詰合せ箱において、中央の箱体２０の前後の側面板２２，２２と前後の側面内板２３，２３との間に、狭幅の上面枠板２１，２１を、それぞれ２本の折り目線を介して連設したことを特徴とする観音開き式の詰合せ箱。
【発明の詳細な説明】
【０００１】
【発明の属する技術分野】
本発明は、飲料調味料や各種食料品や洗剤化粧品などの、上下寸法( 厚さ )が異なる複数の商品を、観音開き式の中央の箱体２０と左右の箱体３０，３０とに詰合せて、それぞれ展示することができる、また無駄な空隙が生じないように閉蓋して、嵩張らないように運搬することができる、板紙製や段ボール紙製やプラスチックシート製などの観音開き式の詰合せ箱に関する。
【０００２】
【従来の技術】
従来から、飲料調味料や各種食料品や洗剤化粧品などの複数の商品を、幅広く詰合せて展示することができる、例えば図６Ａ，Ｂに示すような、底面板６６の前後左右辺に、前後左右の側面板６２，６２，６４，６４を連設して、それぞれの前後の側面板６２と左右の側面板６４との間を、手間を掛けて適宜に貼着するなどして、図６Ａ，Ｂに示す商品保持板６７や商品仕切り板６８などを装着した、板紙製や段ボール紙製などの、比較的大型の直方トレー状の詰合せ箱６０が、一般に広く用いられている。
【０００３】
また従来から、同様の複数の商品を詰合せて展示することができる、図３Ａに示すような、底面板２６の前後辺に、前後の側面板２２，２２と狭幅の上面枠板２１，２１と前後の側面内板２３，２３と折返し繋止片２７，２７とを、それぞれ３本の折り目線( 符号がない１点鎖線、以下同じ )と谷折り線( 符号がない破線、以下同じ )とを介して順に連設して、また底面板２６の左右辺に、左右の側面板２４，２４と左右の側面内板２５，２５と折返し繋止片２７，２７とを、それぞれ２本の折り目線と谷折り線とを介して順に連設して、それぞれの前後の側面板２２と左右の側面板２４との間に、斜め４５度の谷折り線を有する連設片２８，２８，２８，２８を、それぞれ直角の折り目線を介して連設して、また左右の側面内板２５，２５の各前後辺に、切込みを有する嵌合片２９，２９，２９，２９を、それぞれ谷折り線を介して連設した、図３Ａに示す二重壁式の箱体２０のブランクであって、
左右の側面板２４，２４と左右の側面内板２５，２５との内面どうしを、機械的に貼着した後に、簡単な手作業などで、嵌合片２９，２９，２９，２９どうしを嵌合して、連設片２８，２８，２８，２８を押込みながら、前後の側面内板２３，２３を被せて折込んで、全ての折返し繋止片２７，２７，２７，２７を折返して繋止するだけで、簡単に図示していない直方トレー状に製箱することができる、板紙製や段ボール紙製などの、工程が簡単で作製費用が廉価な直方トレー状の二重壁式の箱体２０が、一般に広く用いられている。
【０００４】
さらに従来から、同様の商品を収容して展示することができる、図３Ｂ( Ｃ )に示すような、糊代片ｆと大きな目視開口ａを設けた上面板３１と右の側面板３４と底面板３６と左の側面板３４とを、４本の折り目線を介して順に連設して、この上面板３１の前後辺に、前後の側面板３２，３２と差込み片３７，３７とを、それぞれ２本の折り目線を介して順に連設して、また左右の側面板３４，３４の各前後辺に、折込み片３８，３８，３８，３８を、それぞれ折り目線を介して連設して、さらに上面板３１の大きな目視開口ａの左右辺に、適宜の商品押え片３９，３９を、それぞれ折り目線を介して連設した、図３Ｂ( 図３Ｃでは左右が対称 )に示す差込みサック式の箱体３０のブランクであって、
糊代片ｆと左の側面板３４とを、角筒状に機械的に貼着( サック貼りと言う )した後に、機械的に又は簡単な手作業で、商品押え片３９，３９を押込みながら商品を収容して、折込み片３８，３８，３８，３８を折込みながら、差込み片３７，３７を差込んで繋止するだけで、簡単に図示していない直方体状に製箱することができる、板紙製やプラスチックシート製などの、工程が簡単で作製費用が廉価な、比較的小型の直方体状の差込みサック式の箱体３０が、一般に広く用いられている。
【０００５】
【発明が解決しようとする課題】
ところが従来の、特に図６Ａ，Ｂに示す直方トレー状の詰合せ箱６０については、また図３Ａに示す直方トレー状の二重壁式の箱体２０については、飲料調味料や各種食料品や洗剤化粧品などの、上下寸法( 厚さ )が異なる複数の商品を詰合せる時に、上下寸法が小さい商品の上部又は下部に、無駄な空隙が生じることが問題であって、この無駄な空隙の部分に、図示していない上げ底部材や押え部材などを装着して、上下寸法が小さい商品を破損しないように保持したとしても、図示していない直方逆トレー状の蓋体を被せて閉蓋した時に、無駄な空隙の分が嵩張って、取扱いや保管運搬などの効率が悪いことが問題であった。
【０００６】
そこで、本発明の目的は、それぞれ前述した従来の、図３Ａに示す直方トレー状の二重壁式の箱体２０の左右に、図３Ｂ，Ｃに示す直方体状の差込みサック式の箱体３０，３０を、それぞれ連設することによって、飲料調味料や各種食料品や洗剤化粧品などの、上下寸法が異なる複数の商品を、観音開き式の中央の箱体２０と左右の箱体３０，３０とに詰合せて、それぞれ展示することができる、また無駄な空隙が生じないように閉蓋して、嵩張らないように運搬することができる、板紙製や段ボール紙製やプラスチックシート製などの、工程が簡単で作製費用が廉価な観音開き式の詰合せ箱を提供することにある。
【０００７】
【課題を解決するための手段】
本発明の観音開き式の詰合せ箱は、図１，図２，図４，図５に示すように、前後左右の側面板２２，２２，２４，２４と前後左右の側面内板２３，２３，２５，２５と底面板２６とから成る、図３Ａに示す直方トレー状の二重壁式の中央の箱体２０の左右に、大きな目視開口ａを設けた上面板３１と前後左右の側面板３２，３２，３４，３４と底面板３６とから成る、それぞれの前後寸法と左右寸法の和とが中央の箱体２０に等しい( それぞれの上下寸法( 深さ )は、通常は中央の箱体２０より小さい、しかし中央の箱体２０に等しくても大きくても良い )、図３Ｂ，Ｃに示す直方体状の差込みサック式の左右の箱体３０，３０を、それぞれ連設した、図２Ａ，図５Ａに示す観音開き式の詰合せ箱であって、中央の箱体２０の左右の側面板２４，２４の各上辺に、左右の箱体３０，３０の右又は左の側面板３４，３４の各上辺を、それぞれ谷折り線ｂを介して連設して、また中央の箱体２０の左右の側面内板２５，２５の各上辺に、左右の箱体３０，３０の上面板３１，３１の右辺又は左辺を、それぞれ折り目線ｃを介して連設したことを特徴とする観音開き式の詰合せ箱である。
【０００８】
本発明の観音開き式の詰合せ箱においては、前述した図３Ａに示す直方トレー状の二重壁式の中央の箱体２０の左右に、それぞれの前後寸法と左右寸法の和とが中央の箱体２０に等しい、また通常は、それぞれの上下寸法が中央の箱体２０より小さい、前述した図３Ｂ，Ｃに示す直方体状の差込みサック式の左右の箱体３０，３０を、それぞれ連設したことによって、飲料調味料や各種食料品や洗剤化粧品などの、通常は上下寸法が大きい( 厚い )商品を、観音開き式の中央の箱体２０に詰合せて、また上下寸法が小さい( 薄い )商品を、観音開き式の左右の箱体３０，３０に無駄な空隙が生じないように詰合せて、それぞれ展示することができる、図２Ａ，図５Ａに示す形状が新奇であって、展示効果などが優れた観音開き式の詰合せ箱を提供することができる。
【０００９】
また、本発明の観音開き式の詰合せ箱においては、図２Ａ、図５Ａに示すように中央の箱体２０の左右の側面板２４，２４の各上辺に、左右の箱体３０，３０の右又は左の側面板３４，３４の各上辺を、それぞれ谷折り線ｂを介して連設して、また中央の箱体２０の左右の側面内板２５，２５の各上辺に、左右の箱体３０，３０の上面板３１，３１の右辺又は左辺を、それぞれ折り目線ｃを介して連設したことによって、図２Ｂ，図５Ｂに示すように、中央の箱体２０の上部に、左右の箱体３０，３０を、右左に持上げるように回転して重ねることによって、無駄な空隙が生じないように閉蓋して嵩張らないように運搬することができる、直方逆トレー状などの蓋体を必要としない、取扱いや保管運搬などの効率が優れた観音開き式の詰合せ箱を提供することができる。
【００１０】
また、図２Ａ、図５Ａに示す観音開き式の詰合せ箱の左右のそれぞれ箱体３０，３０には、両端部に上面板３１、３１を備えるため、詰合せ用物品を両端部の上面板３１、３１の下面に係るように装填することにより、箱体３０，３０を回転して中央の箱体２０上に重ねても、箱体３０，３０内の物品は上面板３１、３１に係止されて、下方の箱体２０内に落下することない。
【００１１】
また、図２Ａ、図５Ａに示す観音開き式の詰合せ箱の中央の箱体２０には、例えば、ボディーシャンプーやハンドソープ、左右の箱体３０，３０には石鹸（個包装体の複数個の石鹸を１纏めにシュリンクしたシュリンク包装体）などを詰合せ装填できる。
【００１２】
加えて、本発明の観音開き式の詰合せ箱は、図１，図２Ｂ，図４，図５Ｂに示すように、左右の箱体３０，３０の底面板３６，３６の左辺又は右辺に、差込み繋止片ｄ又は差込み繋止孔ｅを、それぞれ設けたことを特徴とする観音開き式の詰合せ箱である。
【００１３】
本発明の観音開き式の詰合せ箱においては、左右の箱体３０，３０の底面板３６，３６の左辺又は右辺に、差込み繋止片ｄ又は差込み繋止孔ｅを、それぞれ設けたことによって、図２Ｂ，図５Ｂに示すように、観音開き式の詰合せ箱を閉蓋した状態で、この差込み繋止片ｄを差込み繋止孔ｅに差込んで繋止して、中央の箱体２０の上部に、左右の箱体３０，３０を固定することができる。
【００１４】
また加えて、本発明の観音開き式の詰合せ箱は、図１，図２Ａ，図４，図５Ａに示すように、中央の箱体２０の前後の側面板２２，２２と前後の側面内板２３，２３との間に、狭幅の上面枠板２１，２１を、それぞれ２本の折り目線を介して連設したことを特徴とする観音開き式の詰合せ箱である。
【００１５】
本発明の観音開き式の詰合せ箱においては、中央の箱体２０の前後の側面板２２，２２と前後の側面内板２３，２３との間に、狭幅の上面枠板２１，２１を、それぞれ２本の折り目線を介して連設したことによって、図２Ａ，図５Ａに示すように、形状が新奇な観音開き式の詰合せ箱の、展示効果などをさらに向上させることができる。
【００１６】
【発明の実施の形態】
本発明の観音開き式の詰合せ箱については、後述する実施例に示すように、表面に美麗な印刷をした適宜の板紙や段ボール紙やプラスチックシートなどを用いて、通常の打抜型を用いた打抜工程で、工程が簡単な１枚物の、無駄が少ない長方形状の観音開き式の詰合せ箱のブランクを作製して、まず中央の箱体２０の、左右の側面板２４，２４と左右の側面内板２５，２５との内面どうしを、機械的に貼着した後に、簡単な手作業などで、中央の箱体２０を二重壁式の直方トレー状に製箱することができる、続いて簡単な手作業などで、角筒状に貼着された左右の箱体３０，３０に商品を収容して、左右の箱体３０，３０を差込みサック式の直方体状に製箱することができる、工程が簡単で作製費用が廉価な観音開き式の詰合せ箱を提供することができる。
【００１７】
【実施例】
＜実施例１＞
図１は、本発明の実施例１における、観音開き式の詰合せ箱のブランクの( 内面側から見た )平面図である。
また図２Ａは、本発明の実施例１における、観音開き式の詰合せ箱の斜視図であって、図２Ｂは、観音開き式の詰合せ箱を閉蓋した状態を示す斜視図である。さらに図３Ａは、本発明の実施例１における、二重壁式の中央の箱体２０のブランクの平面図であって、図３Ｂ，Ｃは、差込みサック式の左右の箱体３０，３０のブランクの平面図である。
【００１８】
すなわち、縦と横と深さとが２００×１８０×６５ｍｍの、直方トレー状の二重壁式の中央の箱体２０の左右に、縦と横と高さとが２００×９０×４０ｍｍの、直方体状の差込みサック式の左右の箱体３０，３０を、それぞれ連設した観音開き式の詰合せ箱であって、前述した従来と同様の、図３Ａに示す二重壁式の中央の箱体２０のブランクの、それぞれの左右の側面板２４，２４と左右の側面内板２５，２５との間に、前述した従来と同様の、図３Ｂ，Ｃに示す差込みサック式の左右の箱体３０，３０のブランクの、右又は左の側面板３４，３４の各上辺( 図１では右辺又は左辺 )と上面板３１，３１の右辺又は左辺とを、それぞれ谷折り線ｂと折り目線ｃとを介して連設して、左右の箱体３０，３０の底面板３６，３６の左辺又は右辺に、差込み繋止片ｄ又は差込み繋止孔ｅを、それぞれ設けた、図１に示す観音開き式の詰合せ箱のブランクであって、表面に美麗な印刷をした３５０ｇ／ｍ２  の裏白コートボール紙を用いて、通常の打抜型を用いた打抜工程で、工程が簡単な１枚物の、無駄が少ない長方形状の観音開き式の詰合せ箱のブランクを作製した。
【００１９】
次に、図１に示す観音開き式の詰合せ箱のブランクの、折り目線ｃ，ｃと符号がない１点鎖線で示す全ての折り目線とを山折りして、また谷折り線ｂ，ｂと符号がない破線で示す全ての谷折り線とを谷折りして、まず中央の箱体２０の、左右の側面板２４，２４と左右の側面内板２５，２５との内面どうしを、機械的に貼着した( 同時に左右の箱体３０，３０が角筒状に貼着される )後に、簡単な手作業などで、嵌合片２９，２９，２９，２９どうしを嵌合して、連設片２８，２８，２８，２８を押込みながら、前後の側面内板２３，２３を被せて折込んで、全ての折返し繋止片２７，２７，２７，２７を折返して繋止することによって、中央の箱体２０を二重壁式の直方トレー状に製箱して、続いて簡単な手作業などで、角筒状に貼着された左右の箱体３０，３０に、商品押え片３９，３９を押込みながら商品を収容して、折込み片３８，３８，３８，３８を折込みながら、差込み片３７，３７を差込んで繋止することによって、左右の箱体３０，３０を差込みサック式の直方体状に製箱して、図２Ａに示す観音開き式の詰合せ箱を得ることができた。
【００２０】
本実施例の観音開き式の詰合せ箱においては、飲料調味料や各種食料品や洗剤化粧品などの、上下寸法が大きい厚い商品を、観音開き式の中央の箱体２０に詰合せて、また上下寸法が小さい薄い商品を、観音開き式の左右の箱体３０，３０に無駄な空隙が生じないように詰合せて、それぞれ展示することができる、しかも、図２Ｂに示すように、中央の箱体２０の上部に、左右の箱体３０，３０を、右左に持上げるように回転して重ねて、差込み繋止片ｄを差込み繋止孔ｅに差込んで繋止することによって、無駄な空隙が生じないように閉蓋して、嵩張らないように運搬することができる、図２Ａに示す形状が新奇で展示効果などが優れている上に、取扱いや保管運搬などの効率が優れた観音開き式の詰合せ箱を得ることができた。
【００２１】
＜実施例２＞
図４は、本発明の実施例２における、観音開き式の詰合せ箱のブランクの( 内面側から見た )平面図である。
また図５Ａは、本発明の実施例２における、観音開き式の詰合せ箱の斜視図であって、図５Ｂは、観音開き式の詰合せ箱を閉蓋した状態を示す斜視図である。
【００２２】
すなわち、縦と横と深さとが１９０×１６０×６５ｍｍの、直方トレー状の二重壁式の中央の箱体２０の左右に、縦と横と高さとが１９０×９０×４０ｍｍ及び１９０×７０×４０ｍｍの、直方体状の差込みサック式の左右の箱体３０，３０を、それぞれ連設した観音開き式の詰合せ箱であって、前述した実施例１の、図１に示す観音開き式の詰合せ箱のブランクと同様の( 縦と横との寸法が異なる )ブランクにおいて、右の箱体３０の、上面板３１の大きな目視開口ａの後辺と底面板３６の後辺とに、谷折り線を有する三角形の商品押え片３９と２本の谷折り線を有する適宜の商品押え片３９とを、それぞれ折り目線を介して連設して、また左の箱体３０の、底面板３６の前後辺に、長方形の４本の谷折り線を有する適宜の商品押え片３９，３９を、それぞれ折り目線を介して連設した、図４に示す観音開き式の詰合せ箱のブランクであって、表面に美麗な印刷をした３５０ｇ／ｍ２  のコートボール紙を用いて、実施例１と同様に、通常の打抜型を用いた打抜工程で、工程が簡単な１枚物の、無駄が少ない長方形状の観音開き式の詰合せ箱のブランクを作製した。
【００２３】
次に、図４に示す観音開き式の詰合せ箱のブランクの、折り目線ｃ，ｃと符号がない１点鎖線で示す全ての折り目線とを山折りして、また谷折り線ｂ，ｂと符号がない破線で示す全ての谷折り線とを谷折りして、まず中央の箱体２０の、左右の側面板２４，２４と左右の側面内板２５，２５との内面どうしを、機械的に貼着した( 同時に左右の箱体３０，３０が角筒状に貼着される )後に、簡単な手作業などで、嵌合片２９，２９，２９，２９どうしを嵌合して、連設片２８，２８，２８，２８を押込みながら、前後の側面内板２３，２３を被せて折込んで、全ての折返し繋止片２７，２７，２７，２７を折返して繋止することによって、実施例１と同様に、中央の箱体２０を二重壁式の直方トレー状に製箱して、続いて簡単な手作業などで、右の箱体３０の全ての商品押え片３９，３９，３９，３９を押込みながら、また左の箱体３０の全ての商品押え片３９，３９，３９，３９を押込みながら、角筒状に貼着された左右の箱体３０，３０に商品を収容して、折込み片３８，３８，３８，３８を折込みながら、差込み片３７，３７を差込んで繋止することによって、左右の箱体３０，３０を差込みサック式の直方体状に製箱して、図５Ａに示す観音開き式の詰合せ箱を得ることができた。
【００２４】
なお、本実施例の直方トレー状の二重壁式の中央の箱体２０においては、前の側面板２２と前の側面内板２３との間と底面板２６の上面側と後の側面板２２と後の側面内板２３との間とに、それぞれ折り目線を介して連設した、図示していない白色Ｅ段ボール紙製の側面芯板と底敷板と側面芯板とを載置して、中央の箱体２０の保形性などを強化している。
【００２５】
本実施例の観音開き式の詰合せ箱においては、上下寸法( 厚さ )が６２ｍｍのプラスチックボトル入のボディシャンプーを、観音開き式の中央の箱体２０に、また上下寸法( 厚さ )が３７ｍｍのプラスチックチューブ入の洗顔フォームを、観音開き式の右の箱体３０に、さらに上下寸法( 厚さ )が３６ｍｍの紙パッケージ入の化粧石鹸を、観音開き式の左の箱体３０に、それぞれ無駄な空隙が生じないように詰合せて展示することができる、しかも、図５Ｂに示すように、中央の箱体２０の上部に、左右の箱体３０，３０を、右左に持上げるように回転して重ねて、差込み繋止片ｄを差込み繋止孔ｅに差込んで繋止することによって、無駄な空隙が生じないように閉蓋して、嵩張らないように運搬することができる、図２Ａに示す形状と図示していない異形商品の詰合せとが新奇であって、展示効果や保管運搬の効率などが優れた観音開き式の詰合せ箱を得ることができた。
【００２６】
【発明の効果】
以上、実施例ほかに示すとおり、本発明の観音開き式の詰合せ箱においては、飲料調味料や各種食料品や洗剤化粧品などの、上下寸法が大きい厚い商品を、観音開き式の中央の箱体２０に詰合せて、また上下寸法が小さい薄い商品を、観音開き式の左右の箱体３０，３０に無駄な空隙が生じないように詰合せて、それぞれ展示することができる、しかも中央の箱体２０の上部に、左右の箱体３０，３０を回転して重ねることによって、無駄な空隙が生じないように閉蓋して、嵩張らないように運搬することができる、形状が新奇で展示効果などが優れている上に、取扱いや保管運搬などの効率が優れた、板紙製や段ボール紙製やプラスチックシート製などの、工程が簡単で作製費用が廉価な観音開き式の詰合せ箱を提供することができる。
【図面の簡単な説明】
【図１】本発明の実施例１における観音開き式の詰合せ箱のブランクの( 内面側から見た )平面図である。
【図２】Ａは、本発明の実施例１における観音開き式の詰合せ箱の斜視図であって、Ｂは、観音開き式の詰合せ箱を閉蓋した状態を示す斜視図である。
【図３】Ａは、本発明の実施例１又は従来における二重壁式の中央の箱体２０のブランクの平面図であって、Ｂ，Ｃは、差込みサック式の左右の箱体３０，３０のブランクの平面図である。
【図４】本発明の実施例２における観音開き式の詰合せ箱のブランクの( 内面側から見た )平面図である。
【図５】Ａは、本発明の実施例２における観音開き式の詰合せ箱の斜視図であって、Ｂは、観音開き式の詰合せ箱を閉蓋した状態を示す斜視図である。
【図６】Ａ，Ｂは、従来の直方トレー状の詰合せ箱６０の斜視図でる。
【符号の説明】
２０              …中央の箱体
２１              …狭幅の上面枠板
２２，３２，６２  …前後の側面板
２３              …前後の側面内板
２４，３４，６４  …左右の側面板
２５              …左右の側面内板
２６，３６，６６  …底面板
２７              …折返し繋止片
２８              …連設片
２９              …嵌合片
３０              …左右の箱体
３１              …上面板
３７              …差込み片
３８              …折込み片
３９              …商品押え片
６０              …直方トレー状の詰合せ箱
６７              …商品保持板
６８              …商品仕切り板
ａ                …大きな目視開口
ｂ                …谷折り線
ｃ                …折り目線
ｄ                …差込み繋止片
ｅ                …差込み繋止孔
ｆ                …糊代片
【図１】
0004154875.tif 000002
【図２】
0004154875.tif 000003
【図３】
0004154875.tif 000004
【図４】
0004154875.tif 000005
【図５】
0004154875.tif 000006
【図６】
0004154875.tif 000007